(57)【要約】【課題】作業者が手持ちして各種作業が行える携帯型電動工具を、水中での作業にも使用できるものとするとともに、特殊な防水構造などを有するものでない携帯型電動工具についても安価にかつ簡易に水中作業に供することのできる携帯型電動工具を提供する。【解決手段】手持ち可能な筐体６、該筐体に配備された電池７、筐体から外部に露出された工具部１１、および、該工具部を電池により駆動させる駆動部８を備える携帯型電動工具本体２と、工具部を開口部４を通して外部に露出させ、かつ携帯型電動工具本体の筐体の全体を被覆する樹脂製の防水カバー３と、開口部を通して防水カバーの内側から外側へ気体を吐出する気体吐出手段５とを有する携帯型電動工具。【選択図】  図１
2005279870.tif 000002
【特許請求の範囲】
【請求項１】
手持ち可能な筐体、該筐体に配備された電池、前記筐体から外部に露出された工具部、および、該工具部を前記電池により駆動させる駆動部を備える携帯型電動工具本体と、
前記工具部を開口部を通して外部に露出させ、かつ前記携帯型電動工具本体の前記筐体の全体を被覆する樹脂製の防水カバーと、
前記開口部を通して前記防水カバーの内側から外側へ気体を吐出する気体吐出手段と、
を有する、ことを特徴とする携帯型電動工具。
【請求項２】
請求項１に記載の携帯型電動工具において、
前記気体吐出手段は、前記防水カバーの前記開口部から離れた箇所に外部から加圧気体を前記防水カバー内側に導入できる構成であることを特徴とする携帯型電動工具。
【請求項３】
請求項１に記載の携帯型電動工具に用いられる防水カバーにおいて、
前記防水カバーは、複数個に分割されたものを防水構造の連結部を介して一体に連結可能であることを特徴とする防水カバー。
【請求項４】
請求項１に記載の携帯型電動工具に用いられる防水カバーにおいて、
前記防水カバーは、前記携帯型電動工具のスイッチ操作部に対応する箇所を高可撓性領域に構成していることを特徴とする防水カバー。
【発明の詳細な説明】
【技術分野】
【０００１】
本発明は、携帯型電動工具および防水カバーに関する。
【背景技術】
【０００２】
従来、例えば加工対象物を研磨や研削するなどの各種の工作や、対象物を切断するなどの各種の作業を手軽に行うことができるよう、手持ち作業可能な携帯型電動工具が知られている（例えば特許文献１参照）。
【０００３】
特に、工具を電池で駆動するタイプの携帯型電動工具は、発電機や商用電源から電力供給できないような場合でも使用できるものが知られている。
【特許文献１】特開２００２−６６８９７公報（図１など）
【発明の開示】
【発明が解決しようとする課題】
【０００４】
しかしながら、上記のような携帯型電動工具は、通常、水中などの特殊な環境下で使用するものでなく、例えば、船体に付着したフジツボなどを削り取ったりする場合、特殊な防水工具を用いて水中作業するか、船体を水面から上げて地上で作業していた。
【０００５】
特殊な防水工具は高価であり、船体を水面から上げて地上で作業する場合もその引き上げなどを行うことで作業効率が悪く、いずれもコスト低下を図れないという問題がある。
【０００６】
本発明は、上記実状に鑑みてなされたものであって、作業者が手持ちして各種作業が行える携帯型電動工具を、水中での作業にも使用できるものとするとともに、特殊な防水構造などを有するものでない携帯型電動工具についても安価にかつ簡易に水中作業に供することのできる携帯型電動工具の提供を解決しようとする課題としている。
【課題を解決するための手段】
【０００７】
本発明に係る携帯型電動工具は、手持ち可能な筐体、該筐体に配備された電池、前記筐体から外部に露出された工具部、および、該工具部を前記電池により駆動させる駆動部を備える携帯型電動工具本体と、前記工具部を開口部を通して外部に露出させ、かつ前記携帯型電動工具本体の前記筐体の全体を被覆する軟質樹脂製の防水カバーと、前記開口部を通して前記防水カバーの内側から外側へ気体を吐出する気体吐出手段と、を有する、ことを特徴とする。
【０００８】
本発明に係る携帯型電動工具によれば、防水カバーで携帯型電動工具本体の筐体全体が被覆され、かつ、工具については作業が行えるよう防水カバーより外部に露出したものにしてあり、防水カバーにおける工具を露出させる開口部からは気体が外部に吐出されるものとなっているので、その状態で水中での作業に供した場合、気体が連続的に吐出されることで、開口部から防水カバー内への水の侵入が防止される。したがって、格別防水構造を有するものでない安価な携帯型電動工具本体であっても、それを防水カバーで被覆し、気体吐出手段で開口部から気体を吐出することにより、携帯型電動工具本体についての防水が十分図られた状態で使用することができる。よって、作業箇所が水中であっても、防水構造でない一般的な携帯型電動工具本体を用いて各種の作業を行うことができる。
【０００９】
なお、防水カバーの開口部と工具部との間の隙間は極力小さいものが好ましい。
【００１０】
本発明に係る携帯型電動工具において、前記気体吐出手段を、前記防水カバーの前記開口部から離れた箇所に外部から加圧気体を前記防水カバー内側に導入できる構成にしてもよい。この場合、例えばエアポンプなど防水カバーの外側に設ける気体吐出手段から加圧気体を防水カバー内に供給するように構成することにより、携帯型電動工具における人手で持つ部分を小型なものにできるとともに、気体吐出量を多くできることで、防水性を高めることができる。
【００１１】
本発明に係る携帯型電動工具に用いられる防水カバーは、複数個に分割されたものを防水構造の連結部を介して一体に連結可能である。この防水カバーの構成により、携帯型電動工具本体の筐体を被覆する際には、分割されたそれぞれを個別に予め筐体に被せるようにしてから、それぞれを連結部で一体に連結するから、筐体を被覆する作業が簡易なものとなる。また、連結部を螺子構造にして、分割された部分同士を互いに螺着して連結する構成にすると一層連結作業が簡易になるとともに、連結部での防水性も高いものが得られる。
【００１２】
本発明に係る携帯型電動工具に用いられる防水カバーは、前記携帯型電動工具のスイッチ操作部に対応する箇所を高可撓性領域に構成してもよい。この場合、防水カバーを被覆した状態で携帯型電動工具本体のスイッチ操作が高可撓性領域を通して人で操作により行うことができ、その領域の可撓性が高い、すなわち変形しやすいものであるから、防水カバーを介した状態でも容易に携帯型電動工具本体を操作できる。
【発明の効果】
【００１３】
本発明によれば、格別防水構造を有するものでない安価な携帯型電動工具本体であっても、それを防水カバーで被覆し、気体吐出手段で開口部から気体を吐出することにより、携帯型電動工具本体についての防水が十分図られた状態で使用することができる。よって、作業箇所が水中であっても、防水構造でない一般的な携帯型電動工具本体を用いて各種の作業を行うことができるので、水中での各種作業を簡易に行うことができ、作業効率を向上できるとともに、安価に防水を図ることができる。
【発明を実施するための最良の形態】
【００１４】
以下、本発明に係る携帯型電動工具の実施態様を、図１ないし図６を参照して詳細に説明する。図１は、携帯型電動工具の一例を示す全体平面図であり、図２は、図１の携帯型電動工具本体の平面図であり、図３は、図１の携帯型電動工具本体の側面図であり、図４は、図１の携帯型電動工具本体の断面図であり、図５は、図１の防水カバーの一部破断平面図であり、図６は、図１の防水カバーの後面図である。
【００１５】
図１ないし図６を参照して、この携帯型電動工具１は、携帯型電動工具本体２と、この携帯型電動工具本体２を被覆する軟質樹脂（例えばポリエチレン、ポリプロピレンなど）製の防水カバー３と、防水カバー３内に空気を送り込み、この防水カバー３の開口部４からその空気を吐出させるための気体吐出手段としてのエアポンプ５とを備えた構成となっている。
【００１６】
携帯型電動工具本体２は、内部に空間部を有する硬質樹脂製の筐体（ハウジング）６と、この筐体６内の空間部の後部に収納配置された電池７と、電池７の前側に配置された駆動部としての電動モータ８と、この電動モータ８の出力軸９に連結されるとともに筐体６の前端より外方において露出されているコレット１０と、このコレット１０に着脱自在に装着される工具１１（工具部）とを含む構成となっている。
【００１７】
電池７は、充電可能な二次電池であって、充電器からの充電電力供給を行う充電用プラグジャックが差し込まれるソケット（図示せず）を筐体６に設け、そのソケットを介して充電がなされる。電池７は直方体状を成すものであり、筐体６の後部形状は電池７の外形に合わせて直方体状に形成されている。筐体６の電池７収納部よりも前方は円柱状の外形を成すように延出されたものであり、その円柱状部分における内部の空間部に電動モータ８を配置している。さらに、筐体６の電動モータ８を配置した箇所よりも前方部分は先すぼまりの円錐状に延出されており、その先端部に出力軸９を通す孔が設けられている。この出力軸９先端においてコレット１０が固定されている。
【００１８】
筐体６における電池７収納部が主として作業者が手で持つ部分に相当し、電動モータ８を収納する部分の上面側には、横スライドで３位置の切り替えが可能なスイッチ１２が設けられている。このスイッチ１２は、中央位置においては電池７と電動モータ８との接続が切れたオフ状態にするものであって、右側位置においては電動モータ８の回転数を中速とし、左側位置においては電動モータ８の回転数を前記中速より高速とするように内部に備えたモータ駆動回路（図示せず）に対する切り替えを行うように構成されている。したがって、作業者はこの携帯型電動工具本体２を片手で持った状態で親指の操作によってスイッチ１２の位置切り替えを行って、中速と高速とのうち選択した所望回転数にして工具１１を回転駆動して使用するものである。
【００１９】
工具１１は、例えばダイヤモンドやすり、研削用工具、ブラシなどであり、コレット１０への取り付け用の軸部分１１ａを備えたものである。その軸部分１１ａをコレット１０に差し込み、コレット１０を固定側に回転操作して工具１１と出力軸９とを一体化させる。
【００２０】
携帯型電動工具本体２は、水中でない陸上での通常の使用形態では、防水カバー２を被覆することなく使用する。
【００２１】
携帯型電動工具本体２を水中で使用する際には、本発明に係る携帯型電動工具１として、筐体６全体を被覆するように防水カバー３を設けるとともに、防水カバー３内に加圧した空気を供給するエアポンプ５からの空気供給管１３が防水カバー３の後端部に接続されて用いられる。
【００２２】
防水カバー３は、軟質の合成樹脂製であって、図１および図５に示すように、前後に３分割されるカバー部分３ａ，３ｂ，３ｃで構成されている。先端側のカバー部分３ａは、先端に工具１１を通すための開口部４が設けられた円筒状であり、中央のカバー部分３ｂは、筐体６の形状に合わせ前側に後側とに段状部分を備えたほぼ円筒状であり、後端側のカバー部分３ｃは底部を備える円筒状に形成されている。それぞれのカバー部分３ａ，３ｂ，３ｃを互いに連結するためにそれぞれの連結部分に対応する端部には、互いを連結するための螺子部が設けられている。すなわち、カバー部分３ａの後端部には雄螺子部が形成され、カバー部分３ｂの前端部の雌螺子部に螺着される構造となっている。カバー部分３ｂの後端部には雄螺子部が形成され、カバー部分３ｃの前端部の雌螺子部に螺着される構造となっている。防水カバー３を一体化するには、先にカバー部分３ｃを筐体６の後端部箇所に被せた状態にして、筐体６前側からカバー部分３ｂを筐体６中央部分に被せていき、カバー部分３ｂ，３ｃを相対回転させることで互いを螺着固定し、その後カバー部分３ａを筐体６前側部分に被せていき、カバー部分３ａ，３ｂを相対回転させることで互いを螺着固定することになる。それぞれが螺着固定されるものであるから、その連結を行う箇所においても防水性を有するものとなっている。なお、防水カバー３は透明もしくは半透明であることが好ましい。
【００２３】
カバー部分３ｃの底部分に開口した貫通孔１３には、エアポンプ５の空気供給管１３を接続しており、その空気供給管１４から空気が防止カバー３内に供給されるものとなっている。空気供給管１４は貫通孔１３にシール構造を介して水密状態に設けられている。また、この実施の形態の場合、空気供給管１３はカバー部分３ｃに対して一体に固定されているものでなく着脱が可能となっている。ただし、本願発明として、外部から気体を防水カバー内に供給するものの場合、空気供給管と防水カバーとが一体に構成されるものでもよい。
【００２４】
カバー部分３ａは、コレット１０の部分まで覆うものとなっており、コレット１０に装着される工具１１の軸部１１ａが差し込める程度の大きさに開口された開口部４を通して、工具１１がコレット１０に差し込まれる。開口部４と工具１１の軸部１１ａとの間の隙間は例えば０．５ｍｍ程度の狭いものとなっている。コレット１０に差し込まれた工具１１を固定するためのコレット１０の回転操作は、防水カバー３を通して人手操作によって行われる。防水カバー３は軟質樹脂製であるので比較的変形しやすいものであり、コレット１０を回転操作するために人手により防水カバー３を持って握り込むとコレット１０に防水カバー３を通して手があたるため、回転操作の状況は防水カバー３を通した触覚により知ることができる。また、中央のカバー部分３ｂのスイッチ１２に対応する箇所１５は、他の箇所よりも薄肉に形成した領域に設定してあり、このように薄肉になっていることで、人手によるスイッチ１２に対する操作の触覚が作業者に伝わり易い可撓性の高いものとなっている。したがって、スイッチ１２に対応する箇所１５がこのように可撓性が高いことにより防水カバー３を介してスイッチ１２を作業者が操作してもその操作性が良いものとなっている。
【００２５】
以上説明した構成の携帯型電動工具１を水中作業において使用するときには、携帯型電動工具本体２に防水カバー３を被せた状態にして、前記エアポンプ５の空気供給管１３を防水カバー３に装着する。そして、携帯型電動工具１が空中にあるときからエアポンプ５を作動させて、空気を防水カバー３内に絶えず供給するようにしておいて、水中での作業に供することになる。その水中作業として、例えば牡蠣などの養殖貝類の貝殻表面の付着物を除去清掃する作業などの場合、作業者が上半身を水面から出して、作業者がエアポンプ５を所持した状態で、防水カバー３内にポンプ５で加圧させた空気を送り込みながら作業を行う。そのとき、防水カバー３内へ送り込まれた空気は、防水カバー３の開口部１４を通して外部に噴出することになり、それによって、水が開口部１４から防水カバー３内へ侵入することが防止されるので、携帯型電動工具本体２が濡れることなく水中での作業を行うことができる。上記牡蠣などの養殖貝の貝殻への付着物を清掃するためのブラッシングなどを行う場合、水中から養殖貝を出すことなく作業が行えるなどのメリットがある。
【００２６】
上記の防水カバー３は、三分割のものを連結するものを示したが、図７に示すように、二分割の防水カバー部材３Ａ，３Ｂを互いに連結して一つの防水カバー３とする構成としてもよい。
【００２７】
携帯型電動工具本体２として、上記実施の形態では、研削用工具や、ブラシなどの工具１１を着脱自在に装着して使用するものを示したが、以下に簡単に説明する形態のものでもよい。
【００２８】
図８に、切断作業を行えるように鋸１５を工具部として備えた手持ち式の携帯型電動工具本体２を示している。この携帯型電動工具本体２は、筐体６後部に収納配置された電池７と、電池７の前側に配置された駆動部としての電動モータ８と、電動モータ８の出力軸９に連動されて回転動力を減速伝達する減速ギア部１６と、該減速ギア部１６のウォーム１７で回転駆動される大径ギア１８に、その回転中心から偏心させて一端側を軸支した状態で工具取付部１９を設け、この工具取付部１９の前端部に鋸１５がピン止めされて設けられている。
【００２９】
この鋸１５を有する携帯型電動工具本体２を水中作業で使用する場合には、鋸１５を挿通させる開口部をスリット状に設けた防水カバー３（図において想像線で示す）を被覆し、エアポンプ５などの気体吐出手段から防水カバー３後部に加圧空気を送り込めるようにする。
【００３０】
上記鋸１５に替えて、図９および図１０（ａ），（ｂ）に示すように、工具部としてバリカン型の刈り取り用工具２０を設けた携帯型電動工具本体２としてもよい。この刈り取り用工具２０は、固定刃２０ａを筐体６側に固定し、可動刃２０ｂを工具取付部１９に取り付けている。可動刃２０ｂはぶれ防止用の案内レール構造によって固定刃２０ａと一定方向（前後方向）に往復摺動可能に設けられている。
【００３１】
この刈り取り用工具２０を有する携帯型電動工具本体２を水中作業で使用する場合には、刈り取り用工具２０を挿通させる開口部をスリット状に設けた防水カバー３を被覆し、エアポンプ５などの気体吐出手段から防水カバー３後部に加圧空気を送り込めるようにする。
【００３２】
また、上記鋸１５に替えて、図１１に示すように、鋏２１を、工具部として設けた携帯型電動工具本体２としてもよい。この鋏２１は、固定刃２１ａを筐体６側に固定し、この固定刃２１ａに支点Ｐ周りで回動自在に可動刃２１ｂを支持し、この可動刃２１ｂの後端部に設けたピン受け用の切欠き部２２に工具取付部１９の前端部に設けたピン２３を係合している。この構成により、前述のように大径ギア１８に偏心されて設けた工具取付部１９が揺動するように駆動されると、ピン２３が切欠き部２２を介して可動刃２１ｂを支点Ｐ周りで揺動させることになる。
【００３３】
この鋏２１を有する携帯型電動工具本体２を水中作業で使用する場合には、鋏２１を挿通させる開口部をスリット状に設けた防水カバー３を被覆し、エアポンプ５などの気体吐出手段から防水カバー３後部に加圧空気を送り込めるようにする。
【００３４】
上記のように外部から加圧気体を防水カバー内に導入するものに限定されるものでなく、小型のボンベを携帯型電動工具本体または防水カバー内に設け、そのボンベからの気体を防水カバーの開口部から吐出させるようにしてもよい。
【図面の簡単な説明】
【００３５】
【図１】携帯型電動工具の一例を示す全体平面図
【図２】図１の携帯型電動工具本体の平面図
【図３】図１の携帯型電動工具本体の側面図
【図４】図１の携帯型電動工具本体の断面図
【図５】図１の防水カバーの一部破断平面図
【図６】図１の防水カバーの後面図
【図７】防水カバーの変形例を示す平面図
【図８】鋸を工具として備える携帯型電動工具本体の断面図
【図９】携帯型電動工具本体に工具として設け得るバリカン型の刈り取り用工具を示す平面図
【図１０】図９のバリカン型の刈り取り用工具を示す側面図(ａ)と正面図（ｂ）
【図１１】携帯型電動工具本体に工具として設け得る鋏の閉じた状態の平面図（ａ）と、鋏の基端部の拡大平面図（ｂ）と、鋏の開いた状態（ｃ）とをそれぞれ示す平面図
【符号の説明】
【００３６】
２        携帯型電動工具本体
３        防水カバー
４        開口部
５        気体吐出手段（エアポンプ）
６        筐体
７        電池
８        駆動部（電動モータ）
１１      工具部
【図１】
2005279870.tif 000003
【図２】
2005279870.tif 000004
【図３】
2005279870.tif 000005
【図４】
2005279870.tif 000006
【図５】
2005279870.tif 000007
【図６】
2005279870.tif 000008
【図７】
2005279870.tif 000009
【図８】
2005279870.tif 000010
【図９】
2005279870.tif 000011
【図１０】
2005279870.tif 000012
【図１１】
2005279870.tif 000013